(57)【要約】【課題】目視による送信装置の位置確認を行うことができない場合において有効な情報の提供を行う。【解決手段】携帯端末２００は、音声コンテンツを取得するために、照明装置１００から受光した光に対応するタグＩＤと、受光面における受光位置及び受光面に対する受光範囲の面積比率とからなる音声コンテンツ要求情報を第２サーバ７００へ送信する。第２サーバ７００は、音声コンテンツ要求情報内のタグＩＤに対応する個別音声コンテンツと、受光位置に対応する第１基本音声コンテンツと、面積比率に対応する第２基本音声コンテンツとを合成し、タグＩＤに対応する光を発する照明装置１００の取り付け位置に存在する物と、携帯端末２００から見たその物の方向及び距離とを通知するための音声コンテンツを生成して、携帯端末２００へ送信する。更に、携帯端末２００は、受信した音声コンテンツに対応する音声出力を行う。【選択図】図１
2014138324.tif 000002
【特許請求の範囲】
【請求項１】
送信装置と、端末装置と、前記端末装置に対して提供情報を提供するサーバシステムとを含む情報提供システムであって、
前記送信装置は、
所定の識別情報を変調し、この変調された内容を、光を通信媒体として送信する第１の送信手段を備え、
前記端末装置は、
二次元で配列された複数の受光素子からなる受光面を有する受光手段と、
前記受光手段によって受光された光が前記第１の送信手段によって送信された光であるとき、この光を復調して前記識別情報を取得する識別情報取得手段と、
前記受光手段による受光状況を取得する受光状況取得手段と、
前記識別情報取得手段によって取得された識別情報と前記受光状況取得手段によって取得された受光状況とを前記サーバシステムへ送信する第２の送信手段と、
を備え、
前記サーバシステムは、
前記識別情報及び前記受光状況に対応付けられた提供情報を記憶する記憶手段と、
前記第２の送信手段からの前記識別情報及び前記受光状況を受信する第１の受信手段と、
前記第１の受信手段により受信された前記識別情報及び前記受光状況と前記記憶手段の記憶内容とに基づいて、送信すべき提供情報を判別する第１の判別手段と、
前記第１の判別手段により判別された前記提供情報を前記端末装置へ送信する第３の送信手段と、
を備えることを特徴とする情報提供システム。
【請求項２】
前記記憶手段は、前記識別情報に対応する第１の提供情報と、前記受光状況に対応する第２の提供情報とを記憶し、
前記第１の判別手段は、前記第１の受信手段により受信された前記識別情報に対応する前記第１の提供情報と前記第１の受信手段により受信された前記受光状況に対応する前記第２の提供情報とを前記記憶手段から読み出し、前記第１の提供情報と前記第２の提供情報とを合成した提供情報を取得することを特徴とする請求項１に記載の情報提供システム。
【請求項３】
前記受光状況は、前記受光手段における前記受光面における光の受光位置を含むことを特徴とする請求項１又は２に記載の情報提供システム。
【請求項４】
前記受光状況は、前記受光手段における前記受光面における前記光の受光範囲の比率を含むことを特徴とする請求項１乃至３の何れか１項に記載の情報提供システム。
【請求項５】
前記端末装置は更に、
特定の情報が取得されたか否かを判別する第２の判別手段を備え、
前記第２の送信手段は、前記第２の判別手段によって前記特定の情報が取得されたと判別された場合に、前記識別情報取得手段によって取得された識別情報と前記受光状況取得手段によって取得された受光状況とを前記サーバシステムへ送信することを特徴とする請求項１乃至４の何れか１項に記載の情報提供システム。
【請求項６】
前記識別情報は、ネットワークにおける前記サーバシステムの所在を規定するための情報であり、
前記特定の情報は、前記所在を規定するための情報を無効化するための情報であり、
前記第２の送信手段は、前記無効化するための情報を削除して、前記所在を規定するための情報を有効化することを特徴とする請求項５に記載の情報提供システム。
【請求項７】
前記端末装置は更に、
前記提供情報を受信する第２の受信手段と、
前記第２の受信手段によって受信された前記提供情報に基づく出力を行う出力手段と、
を備えることを特徴とする請求項１乃至６の何れか１項に記載の情報提供システム。
【請求項８】
前記提供情報は、音声情報であり、
前記出力手段は、前記第２の受信手段によって受信された前記音声情報に基づいて音声出力を行うことを特徴とする請求項７に記載の情報提供システム。
【請求項９】
前記サーバシステムは、複数のサーバにより構成されることを特徴とする請求項１乃至８の何れか１項に記載の情報提供システム。
【請求項１０】
送信装置と、端末装置と、前記端末装置に対して提供情報を提供するサーバシステムとを含む情報提供システムにおける前記サーバシステムであって、
所定の識別情報と前記端末装置における前記識別情報を変調した光の受光状況とに対応付けられた提供情報を記憶する記憶手段と、
前記端末装置からの前記識別情報及び前記受光状況を受信する受信手段と、
前記受信手段により受信された前記識別情報及び前記受光状況と前記記憶手段の記憶内容とに基づいて、送信すべき提供情報を判別する判別手段と、
前記判別手段により判別された前記提供情報を前記端末装置へ送信する送信手段と、
を備えることを特徴とするサーバシステム。
【請求項１１】
送信装置と、端末装置と、前記端末装置に対して提供情報を提供するサーバシステムとを含む情報提供システムにおける前記端末装置であって、
二次元で配列された複数の受光素子からなる受光面を有する受光手段と、
前記受光手段によって受光された前記送信装置からの光を復調して所定の識別情報を取得する識別情報取得手段と、
前記受光手段による受光状況を取得する受光状況取得手段と、
前記識別情報取得手段によって取得された識別情報と前記受光状況取得手段によって取得された受光状況とを前記サーバシステムへ送信する送信手段と、
を備えることを特徴とする端末装置。
【請求項１２】
前記提供情報を受信する受信手段と、
前記受信手段によって受信された前記提供情報に基づく出力を行う出力手段と、
を備えることを特徴とする請求項１１に記載の端末装置。
【請求項１３】
送信装置と、端末装置と、前記端末装置に対して提供情報を提供するサーバシステムとを含む情報提供システムにおける前記サーバシステムの情報提供方法であって、
所定の識別情報と前記端末装置における前記識別情報を変調した光の受光状況とに対応付けられた提供情報を記憶手段に記憶する記憶ステップと、
前記端末装置からの前記識別情報及び前記受光状況を受信する受信ステップと、
前記受信ステップにおいて受信された前記識別情報及び前記受光状況と前記記憶手段の記憶内容とに基づいて、送信すべき提供情報を判別する判別ステップと、
前記判別ステップにおいて判別された前記提供情報を前記端末装置へ送信する送信ステップと、
を含むことを特徴とする情報提供方法。
【請求項１４】
送信装置と、端末装置と、前記端末装置に対して提供情報を提供するサーバシステムとを含む情報提供システムにおける前記端末装置の情報提供方法であって、
受光手段により光を受光する受光ステップと、
前記受光ステップにおいて受光された前記送信装置からの光を復調して所定の識別情報を取得する識別情報取得ステップと、
前記受光ステップにおける受光状況を取得する受光状況取得ステップと、
前記識別情報取得ステップにおいて取得された識別情報と前記受光状況取得ステップにおいて取得された受光状況とを前記サーバシステムへ送信する送信ステップと、
を含むことを特徴とする情報提供方法。
【請求項１５】
前記提供情報を受信する受信ステップと、
前記受信ステップにおいて受信された前記提供情報に基づく出力を行う出力ステップと、
を含むことを特徴とする請求項１４に記載の情報提供方法。
【請求項１６】
送信装置と、端末装置と、前記端末装置に対して提供情報を提供するサーバシステムとを含む情報提供システムにおける前記サーバシステムを、
所定の識別情報と前記端末装置における前記識別情報を変調した光の受光状況とに対応付けられた提供情報を記憶する記憶手段、
前記端末装置からの前記識別情報及び前記受光状況を受信する受信手段、
前記受信手段により受信された前記識別情報及び前記受光状況と前記記憶手段の記憶内容とに基づいて、送信すべき提供情報を判別する判別手段、
前記判別手段により判別された前記提供情報を前記端末装置へ送信する送信手段、
として機能させることを特徴とするプログラム。
【請求項１７】
送信装置と、端末装置と、前記端末装置に対して提供情報を提供するサーバシステムとを含む情報提供システムにおける前記端末装置を、
二次元で配列された複数の受光素子からなる受光面を有する受光手段、
前記受光手段によって受光された前記送信装置からの光を復調して所定の識別情報を取得する識別情報取得手段、
前記受光手段による受光状況を取得する受光状況取得手段、
前記識別情報取得手段によって取得された識別情報と前記受光状況取得手段によって取得された受光状況とを前記サーバシステムへ送信する送信手段、
として機能させることを特徴とするプログラム。
【請求項１８】
前記提供情報を受信する受信手段、
前記受信手段によって受信された前記提供情報に基づく出力を行う出力手段、
として機能させることを特徴とする請求項１７に記載のプログラム。
【発明の詳細な説明】
【技術分野】
【０００１】
本発明は、情報提供システム、サーバシステム、端末装置、情報提供方法及びプログラムに関する。
【背景技術】
【０００２】
イメージセンサを用いて、撮像された時系列の画像（フレーム）を処理することにより、光通信を行う技術が知られている。例えば、屋外の照明等を情報で変調した光を発する送信装置として用いた場合、端末装置に内蔵されたカメラが送信装置を撮影し、端末装置が受けた光を復調することにより情報を取得することができる（例えば、特許文献１参照）。
【０００３】
上述した情報取得の手法において、現在一般的に用いられるカメラのフレーム速度は、画像の品質確保の観点から、３０フレーム／秒程度である。このようなカメラが用いられる場合、１ビット毎に点灯又は消灯を行う光通信のビットレートは１５ビット／秒程度となる。また、高速化のために、例えば、ＲＧＢ色変調で光の色を変えるようにしても、ビットレートは３倍の４５ビット／秒程度にすぎない。このような低いビットレートでは、上述したような光通信を端末装置に対して提供される情報の伝送に用いることは困難である。
【０００４】
このため、光通信によって情報を直接送信するのではなく、送信装置が情報のＩＤに応じて変調した光のみを発し、端末装置は、受けた光を復調、復号して得られるＩＤをサーバ等へ送信して、そのサーバ等からＩＤに対応する提供情報を取得することが考えられている。
【先行技術文献】
【特許文献】
【０００５】
【特許文献１】特開２００６−２０２９４号公報
【発明の概要】
【発明が解決しようとする課題】
【０００６】
上述した従来の技術では、利用者は目視により提供情報の受信を希望する送信装置の位置を確認することが可能であるので、送信装置を撮影すべく端末装置が有するカメラの撮影方向をその送信装置のある方向に向けることで提供情報を取得することができる。しかしこれは換言すれば、利用者が目視により送信装置の位置を確認することができない状況では、当然利用者はその送信装置が存在する方向へ撮影方向を向けることが出来ないので、その送信装置の位置に特定された情報を提供することが困難であるという問題があった。
【０００７】
本発明はこのような問題点に鑑みてなされたものであり、目視による送信装置の位置確認を行うことができない場合において有効な情報の提供を行うことを目的とする。
【課題を解決するための手段】
【０００８】
上記目的を達成するため、本発明に係る情報提供システムは、
送信装置と、端末装置と、前記端末装置に対して提供情報を提供するサーバシステムとを含む情報提供システムであって、前記送信装置は、所定の識別情報を変調し、この変調された内容を、光を通信媒体として送信する第１の送信手段を備え、前記端末装置は、二次元で配列された複数の受光素子からなる受光面を有する受光手段と、前記受光手段によって受光された光が前記第１の送信手段によって送信された光であるとき、この光を復調して前記識別情報を取得する識別情報取得手段と、前記受光手段による受光状況を取得する受光状況取得手段と、前記識別情報取得手段によって取得された識別情報と前記受光状況取得手段によって取得された受光状況とを前記サーバシステムへ送信する第２の送信手段と、を備え、前記サーバシステムは、前記識別情報及び前記受光状況に対応付けられた提供情報を記憶する記憶手段と、前記第２の送信手段からの前記識別情報及び前記受光状況を受信する第１の受信手段と、前記第１の受信手段により受信された前記識別情報及び前記受光状況と前記記憶手段の記憶内容とに基づいて、送信すべき提供情報を判別する第１の判別手段と、前記第１の判別手段により判別された前記提供情報を前記端末装置へ送信する第３の送信手段と、を備えることを特徴とする。
【発明の効果】
【０００９】
本発明によれば、目視による送信装置の位置確認を行うことができない場合において有効な情報の提供を行うことが可能となる。
【図面の簡単な説明】
【００１０】
【図１】本発明の実施形態に係る情報提供システムを構成する送信装置、携帯端末及びサーバの配置の一例を示す図である。
【図２】同実施形態に係る照明装置の構成の一例を示す図である。
【図３】同実施形態に係る携帯端末の構成の一例を示す図である。
【図４】同実施形態に係る第１サーバの構成の一例を示す図である。
【図５】同実施形態に係る第２サーバの構成の一例を示す図である。
【図６】同実施形態に係る装置情報の一例を示す図である。
【図７】同実施形態に係る情報提供システムによる情報提供の動作の一例を示す図である。
【図８】同実施形態に係る情報提供システムによる情報提供の動作の一例を示す図である。
【図９】同実施形態に係る問い合わせ情報の一例を示す図である。
【図１０】同実施形態に係る撮像素子における受光位置の一例を示す図である。
【図１１】同実施形態に係る撮像素子における受光範囲の一例を示す図である。
【図１２】同実施形態に係る音声コンテンツ要求情報の一例を示す図である。
【図１３】同実施形態に係る個別音声コンテンツ情報の一例を示す図である。
【図１４】同実施形態に係る受光位置と基本音声コンテンツとの対応の一例を示す図である。
【図１５】同実施形態に係る受光範囲と基本音声コンテンツとの対応の一例を示す図である。
【発明を実施するための形態】
【００１１】
以下、図面を参照して、本発明の実施形態に係る情報提供システムを説明する。
【００１２】
図１に示すように、情報提供システム１は、送信装置としての照明装置１００−１〜１００−３（以下、照明装置１００−１〜１００−３をまとめて、適宜「照明装置１００」と称する）と、端末装置としての携帯端末２００と、サーバシステムを構成する第１サーバ３００及び第２サーバ７００とを含んで構成される。
【００１３】
照明装置１００は、ユーザ４００が存在する室内へ光を発する。本実施形態において、照明装置１００−１は、非常口８１０に取り付けられ、照明装置１００−２は、トイレドア８２０に取り付けられ、照明装置１００−３は、段差８３０に取り付けられている。また、照明装置１００は、第１サーバ３００によって携帯端末２００へ提供されるコンテンツの識別情報であるＩＤ（タグＩＤ）に対応して変調された光を発する。
【００１４】
携帯端末２００は、携帯電話機、スマートフォン、タブレット型パーソナルコンピュータ、ノート型パーソナルコンピュータ等の持ち運びが可能であって、無線通信機能を有する端末であり、ユーザ４００によって所持される。尚、本実施形態では、ユーザ４００が携帯端末２００を所持する際は、ユーザ４００が移動する際の進行方向正面に、携帯端末２００内の後述する撮像部２１４が向くようにユーザ４００の身体に装着される。図１では携帯端末２００本体をユーザ４００の首からぶら下げるような装着態様を示している。しかしながらこれに限定されることなく、携帯端末２００は少なくとも撮像部２１４を備えるユニット部が頭部装着型の形状を模すと共に、ユーザ４００の視線方向が撮像方向となるように撮像部２１４を向けることができるようにしても良いし、携帯端末２００は少なくとも撮像部２１４を備えるユニット部が杖のような歩行補助器具の形状を模すと共に、ユーザ４００の移動の際の進行方向が撮像方向となるように撮像部２１４を向けることができるようにしても良い。つまり、本実施形態においては、少なくともユーザ４００の移動の際の進行方向や視線方向が撮像方向となるように撮像部２１４が備えられるものであれば、携帯端末２００の形状や把持・装着方法については特に言及されない。そして、携帯端末２００は、照明装置１００からの光を受けてタグＩＤを取得し、そのタグＩＤを、無線基地局６００及び通信ネットワーク５００を介して第１サーバ３００へ送信する。
【００１５】
第１サーバ３００は、通信ネットワーク５００を介して照明装置１００との間で通信を行う。また、第１サーバ３００は、通信ネットワーク５００及び無線基地局６００を介して携帯端末２００との間で通信を行う。第１サーバ３００は、コンテンツとタグＩＤとを管理するとともに、携帯端末２００からのタグＩＤに対応するコンテンツを携帯端末２００へ送信する。
【００１６】
携帯端末２００は、第１サーバ３００からのコンテンツが第２サーバ７００の音声コンテンツを取得するために用いられるものである場合、携帯端末２００は、取得したタグＩＤに対応する光を発した照明装置１００の位置に関連する提供情報である音声コンテンツを取得するために、無線基地局６００及び通信ネットワーク５００を介して第２サーバ７００にアクセスし、後述する音声コンテンツ要求情報を送信する。一方、第１サーバ３００からのコンテンツが第２サーバ７００の音声コンテンツを取得するために用いられるものでない場合、携帯端末２００は、第１サーバ３００からのコンテンツの出力処理（例えば画像表示）を行う。
【００１７】
第２サーバ７００は、通信ネットワーク５００及び無線基地局６００を介して携帯端末２００との間で通信を行う。第２サーバ７００は、音声コンテンツとタグＩＤとを管理するとともに、携帯端末２００からの音声コンテンツ要求情報に応じて、音声コンテンツを携帯端末２００へ送信する。携帯端末２００は、受信した音声コンテンツの音声を出力することにより、ユーザ４００に対して音声コンテンツを提供する。
【００１８】
次に、照明装置１００の詳細な構成を説明する。図２に示すように、照明装置１００は、制御部１０２、メモリ１０４、有線通信部１０７、符号化・変調部１１０、駆動部１１２及び送信部１１４を含む。
【００１９】
制御部１０２は、例えばＣＰＵ（Central Processing Unit）によって構成される。制御部１０２は、メモリ１０４に記憶されたプログラムに従ってソフトウェア処理を実行することにより、照明装置１００が具備する各種機能を制御する。メモリ１０４は、例えばＲＡＭ（Random Access Memory）やＲＯＭ（Read Only Memory）である。メモリ１０４は、照明装置１００における制御等に用いられる各種情報（プログラム等）を記憶する。有線通信部１０７は、例えばＬＡＮ（Local Area Network）カードである。有線通信部１０７は、通信ネットワーク５００を介して第１サーバ３００との間で通信を行う。
【００２０】
符号化・変調部１１０は、制御部１０２から出力されたデータをビットデータ列に符号化する。更に、符号化・変調部１１０は、ビットデータ列に基づくデジタル変調を行う。符号化方式及び変調方式は任意であるが、変調方式として望ましくは周波数を２８．８（ｋＨｚ）とする搬送波を用いた４ＰＰＭ（Pulse Position Modulation）が採用される。駆動部１１２は、符号化・変調部１１０から出力される信号に対応し、送信部１１４が発する光の波長を時間的に変化させるための駆動信号を生成する。
【００２１】
送信部１１４は、例えばＬＥＤ（Light Emitting Diode）である。送信部１１４は、駆動部１１２から出力される駆動信号に応じて、時間的に波長（色）変化を伴う変調が行われた光を発する。なお、本実施形態においては、送信部１１４における発光面の形状及び面積は、照明装置１００−１〜１００−３において共通であるものとする。
【００２２】
次に、携帯端末２００の詳細な構成を説明する。図３に示すように、携帯端末２００は、制御部２０２、メモリ２０４、操作部２０６、表示部２０７、無線通信部２０８、アンテナ２１０、レンズ２１２、撮像部２１４、画像処理部２１６、バッファ２１８、復号処理部２２０、ＧＰＳ（Global Positioning System）受信機２２２、方位センサ２２４、スイッチ２２６、スピーカー２２８及びヘッドホン２３０を含む。
【００２３】
制御部２０２は、例えばＣＰＵによって構成される。制御部２０２は、メモリ２０４に記憶されたプログラム（例えば、後述する図１４及び図１５に示す携帯端末２００の動作を実現するためのプログラム）に従ってソフトウェア処理を実行し、携帯端末２００が具備する各種機能を実現するために、識別情報取得部２３２、位置情報取得部２３４、受光位置・範囲取得部２３６及び音声コンテンツ取得部２３８を有する。メモリ２０４は、例えばＲＡＭやＲＯＭである。メモリ２０４は、携帯端末２００における制御等に用いられる各種情報（プログラム等）を記憶する。
【００２４】
操作部２０６は、テンキーやファンクションキー等によって構成され、ユーザの操作内容を入力するために用いられるインタフェースである。表示部２０７は、例えば、ＬＣＤ（Liquid Crystal Display）、ＰＤＰ（Plasma Display Panel）、ＥＬ（Electroluminescence）ディスプレイ等によって構成される。表示部２０７は、制御部２０２から出力された画像信号に従って画像（例えば、後述するスルー画像）を表示する。
【００２５】
無線通信部２０８は、例えば無線周波数（ＲＦ）回路やベースバンド（ＢＢ）回路等を用いて構成される。無線通信部２０８は、アンテナ２１０を介して、無線信号の送信及び受信を行う。また、無線通信部２０８は、送信信号の符号化及び変調と、受信信号の復調及び復号とを行う。
【００２６】
レンズ２１２は、広角範囲について撮像できるよう光学特性が調整されているものとする。
【００２７】
撮像部２１４は、受光面２１５に規則的に二次元配列された複数の受光素子により構成される。受光素子は、例えば、ＣＣＤ（Charge Coupled Device）、ＣＭＯＳ（Complementary Metal Oxide Semiconductor）等の撮像デバイスである。撮像部２１４は、レンズ２１２を介して入光された光学像を、制御部２０２からの制御信号に基づいて所定範囲の撮像画角で撮像（受光）し、その撮像画角内の画像信号をデジタルデータに変換し、必要に応じて鉛直方向に対する水平／垂直成分を鑑みた撮像画角の回転補正を行い、フレームを生成する。また、撮像部２１４は、撮像とフレームの生成とを時間的に連続して行い、連続するフレームを画像処理部２１６に出力するとともに、バッファ２１８に逐次記憶させ、更新させる。
【００２８】
また、撮像部２１４は、所定量のフレームのそれぞれにおける同一座標の色の変化を判別する。判別の結果、撮像画角内の所定の座標における色が所定の変化をする場合には、当該所定の座標は、送信部１１４からの光を受光することにより色が所定の変化をしたと見なされる。色が所定の変化をした場合には、撮像部２１４は、フレームにおけるその色の変化の位置の座標（以下、「色変化座標」と称する）と当該色変化座標における所定量のフレーム間の時間的な色の変化の態様を表したビットデータ列とをバッファ２１８に構成される座標データリストに記憶させ、更新させる。
【００２９】
画像処理部２１６は、制御部２０２からの制御信号に基づいて、撮像部２１４から出力されたフレーム（デジタルデータ）について、表示部２０７にスルー画像として表示させるべく、画質や画像サイズを調整して出力させる。また、画像処理部２１６は、操作部２０６からの記録指示操作に基づく制御信号が入力されると、記録指示された時点の撮像部２１４における撮像画角内、あるいは、表示部２０７に表示された表示範囲内の光学像を、例えば、ＪＰＥＧ（Joint Photographic Experts Group）等の圧縮符号化方式にて符号化、ファイル化する機能を有する。復号処理部２２０は、制御部２０２からの制御信号に基づいて、バッファ２１８内の座標データリストに格納された輝度変化の態様を示すビットデータ列をデジタルデータに復号する。復号方式は、照明装置１００内の符号化・変調部１００における符号化方式に対応する方式が採用される。
【００３０】
ＧＰＳ受信機２２２は、ＧＰＳ衛星からの信号を受信し、当該信号に基づいて、携帯端末２００の位置（緯度及び経度）を測定する。方位センサ２２４は、地磁気の変化等に基づいて、撮像部２１４による撮影方向の方位を検出する。
【００３１】
スイッチ２２６は、ユーザ４００によって操作され、音声の出力先を切り替える。スピーカー２２８及びヘッドホン２３０は、それぞれスイッチ２２６によって音声の出力先として選択された場合に、その音声を出力する。尚、スピーカー２２８を経由して音声を出力する場合は、周囲環境音に消されることがないような音量で出力され、ヘッドホン２３０を経由して出力する場合は音像定位を利用したステレオ形式で出力される。
【００３２】
次に、第１サーバ３００の詳細な構成を説明する。図４に示すように、第１サーバ３００は、制御部３０２、メモリ３０４、操作部３０６、表示部３０７及び有線通信部３０８を含む。
【００３３】
制御部３０２は、例えばＣＰＵによって構成される。制御部３０２は、メモリ３０４に記憶されたプログラム（例えば、後述する図１３及び図１４に示す第１サーバ３００の動作を実現するためのプログラム）に従ってソフトウェア処理を実行し、第１サーバ３００が具備する各種機能を制御するために、送信装置判別部３１２、記憶処理部３１４及び提供情報判別部３１６を有する。メモリ３０４は、例えばＲＡＭやＲＯＭである。メモリ３０４は、第１サーバ３００における制御等に用いられる各種情報（プログラム等）を記憶する。
【００３４】
操作部３０６は、テンキーやファンクションキー等によって構成され、ユーザの操作内容を入力するために用いられるインタフェースである。表示部３０７は、例えば、ＬＣＤ、ＰＤＰ、ＥＬディスプレイ等によって構成される。表示部３０７は、制御部３０２から出力された画像信号に従って画像を表示する。有線通信部３０８は、例えばＬＡＮカードである。有線通信部３０８は、通信ネットワーク５００を介して照明装置１００及び携帯端末２００との間で通信を行う。
【００３５】
次に、第２サーバ７００の詳細な構成を説明する。図５に示すように、第２サーバ７００は、制御部７０２、メモリ７０４、操作部７０６、表示部７０７及び有線通信部７０８を含む。
【００３６】
制御部７０２は、例えばＣＰＵによって構成される。制御部７０２は、メモリ７０４に記憶されたプログラム（例えば、後述する図１４及び図１５に示す第２サーバ７００の動作を実現するためのプログラム）に従ってソフトウェア処理を実行し、第２サーバ７００が具備する各種機能を制御するために、提供情報判別部７１６を有する。メモリ７０４は、例えばＲＡＭやＲＯＭである。メモリ７０４は、第２サーバ７００における制御等に用いられる各種情報（プログラム等）を記憶する。
【００３７】
操作部７０６は、テンキーやファンクションキー等によって構成され、ユーザの操作内容を入力するために用いられるインタフェースである。表示部７０７は、例えば、ＬＣＤ、ＰＤＰ、ＥＬディスプレイ等によって構成される。表示部７０７は、制御部７０２から出力された画像信号に従って画像を表示する。有線通信部７０８は、例えばＬＡＮカードである。有線通信部７０８は、通信ネットワーク５００を介して携帯端末２００との間で通信を行う。
【００３８】
次に、情報提供システム１の動作を説明する。
【００３９】
第１サーバ３００内のメモリ３０４には、照明装置１００毎に用意された、図６に示すような装置情報が予め記憶されている。装置情報は、照明装置１００とその照明装置１００が発する光に対応するタグＩＤとそのタグＩＤに対応するコンテンツとを関連づける情報である。装置情報は、対応する照明装置１００の装置ＩＤ、対応する照明装置１００の位置情報（経度及び緯度からなる装置位置情報）、対応する照明装置１００が送信するタグＩＤ、そのタグＩＤに対応するコンテンツのデータにより構成される。なお、照明装置１００が送信するタグＩＤがない場合には、装置情報には、タグＩＤ及びコンテンツは含まれない。
【００４０】
第１サーバ３００は、照明装置１００に対してタグＩＤを送信する。照明装置１００がタグＩＤを受信すると、第１サーバ３００の制御部３０２は、メモリ３０４から装置情報を読み出し、装置情報内のタグＩＤの送信先が装置情報内の装置ＩＤに対応する照明装置１００であると判別する。更に、制御部３０２は、タグＩＤを有線通信部３０８へ出力するとともに、照明装置１００に対応するＩＰ（Internet protocol）アドレス及びＭＡＣ（Media Access Control）アドレス等を有線通信部３０８へ出力する。有線通信部３０８は、照明装置１００に対応するＩＰアドレス及びＭＡＣアドレス等を宛先として、タグＩＤを送信する。照明装置１００内の有線通信部１０７は、照明装置１００に対応するＩＰアドレス及びＭＡＣアドレス等を宛先とするタグＩＤを受信し、制御部１０２へ出力する。
【００４１】
次に、照明装置１００は、タグＩＤに応じて変調された、時間的に色が変化する光（タグＩＤ光）を発する。具体的には、照明装置１００内の制御部１０２は、デジタルデータであるタグＩＤを符号化・変調部１１０へ出力する。符号化・変調部１１０は、制御部１０２から出力されたタグＩＤに対する符号化してビットデータ列を生成するとともに、ビットデータ列に基づくデジタル変調を行う。駆動部１１２は、符号化・変調部１１０から出力される信号に対応し、送信部１１４が発する光の色を時間的に変化させるための駆動信号を生成する。送信部１１４は、駆動部１１２から出力される駆動信号に応じて、時間的に色が変化する光であるタグＩＤ光を発する。
【００４２】
その後、図７及び図８に示す情報提供システム１の動作が行われる。図７に示すように、携帯端末２００は、照明装置１００からの光を受ける（ステップＳ２０１）。
【００４３】
ステップＳ２０１において、携帯端末２００内の撮像部２１４は、レンズ２１２を介して入光された、タグＩＤ光を含む光学像を撮像し、撮像画角内の画像信号をデジタルデータに変換してフレームを生成する。また、撮像部２１４は、撮像とフレームの生成とを時間的に連続して行い、連続するフレームを画像処理部２１６に出力するとともに、バッファ２１８に逐次記憶させ、更新させる。
【００４４】
次に、携帯端末２００は、タグＩＤを受信したか否かを判定する（ステップＳ２０２）。ステップＳ２０２において、携帯端末２００内の撮像部２１４は、所定量のフレームのそれぞれにおける同一座標が、色が所定の変化をする色変化座標である場合、その色変化する座標とこの座標における所定量のフレーム間の時間的な色の変化の態様を表すビットデータ列とを対応付けてバッファ２１８に構成される座標データリストに記憶させ、更新させる。更に、復号処理部２２０は、バッファ２１８内の座標データリストに格納された色変化の態様を示すビットデータ列を復号し、復号後のデータを制御部２０２へ出力する。制御部２０２内の識別情報取得部２３２は、復号後のデータがタグＩＤの形式である場合、タグＩＤを受信したと判定する。
【００４５】
タグＩＤを受信しなかった場合（ステップＳ２０２；ＮＯ）、一連の動作が終了する。一方、タグＩＤを受信した場合（ステップＳ２０２；ＹＥＳ）、逐次取得している自己の現在位置から、このタグＩＤを受信した時の携帯端末２００の自己の現在位置を選んで取得する（ステップＳ２０３）。ステップＳ２０３において、携帯端末２００内のＧＰＳ受信機２２２は、ＧＰＳ衛星からの信号に基づいて、携帯端末２００の現在位置（緯度及び経度）を測定して制御部２０２へ出力する。制御部２０２内の位置情報取得部２３４は、携帯端末２００の位置情報を取得する。
【００４６】
次に、携帯端末２００は、問い合わせ情報を生成する（ステップＳ２０４）。ステップＳ２０４において、制御部２０２は、図９に示すように、携帯端末２００の識別情報である端末ＩＤと、取得した携帯端末２００の位置情報と、取得したタグＩＤとを含んだ問い合わせ情報を生成する。
【００４７】
次に、携帯端末２００は、問い合わせ情報を第１サーバ３００へ送信する（ステップＳ２０５）。ステップＳ２０５において、携帯端末２００内の制御部２０２は、問い合わせ情報を無線通信部２０８へ出力するとともに、第１サーバ３００に対応するＩＰアドレス及びＭＡＣアドレス等を無線通信部２０８へ出力する。ここで、第１サーバ３００に対応するＩＰアドレス及びＭＡＣアドレス等は予めメモリ２０４に記憶されていてもよいし、タグＩＤとともに照明装置１００から送信されたものでもよい。無線通信部２０８は、第１サーバ３００に対応するＩＰアドレス及びＭＡＣアドレス等を宛先とする問い合わせ情報の符号化及び変調を行い、アンテナ２１０を介して、無線信号を送信する。
【００４８】
次に、第１サーバ３００は、問い合わせ情報を受信したか否かを判定する（ステップＳ２０６）。ステップＳ２０６において、第１サーバ２００内の有線通信部３０８は、第１サーバ３００に対応するＩＰアドレス及びＭＡＣアドレス等を宛先とする問い合わせ情報を受信し、制御部３０２へ出力する。制御部３０２は、問い合わせ情報が入力されたか否かを判定する。
【００４９】
問い合わせ情報が受信されていない場合（ステップＳ２０６；ＮＯ）、一連の動作が終了する。一方、問い合わせ情報が受信された場合（ステップＳ２０６；ＹＥＳ）、次に、第１サーバ３００は、受信した問い合わせ情報に対応するコンテンツがあるか否かを判定する（ステップＳ２０７）。提供情報判別部３１６は、メモリ３０４に記憶された装置情報のうち、選択したタグＩＤを含む装置情報があれば、受信した問い合わせ情報に対応するコンテンツがあると判定する。
【００５０】
受信した問い合わせ情報に対応するコンテンツがない場合（ステップＳ２０７；ＮＯ）、一連の動作が終了する。一方、受信した問い合わせ情報に対応するコンテンツがある場合（ステップＳ２０７；ＹＥＳ）、次に、第１サーバ３００は、コンテンツを携帯端末２００へ送信する（ステップＳ２０８）。ステップＳ２０８において、提供情報判別部３１６は、装置情報において、選択したタグＩＤに対応付けられているコンテンツを抽出する。更に、提供情報判別部３１６は、抽出したコンテンツに選択したタグＩＤを付加して有線通信部３０８へ出力するとともに、受信した問い合わせ情報の送信元の携帯端末２００に対応するＩＰアドレス及びＭＡＣアドレス等を有線通信部３０８へ出力する。ここで、携帯端末２００に対応するＩＰアドレス及びＭＡＣアドレス等は、問い合わせ情報の送信元として含まれる情報である。有線通信部３０８は、携帯端末２００に対応するＩＰアドレス及びＭＡＣアドレス等を宛先とするコンテンツを、通信ネットワーク５００へ出力する。
【００５１】
その後、図８に示すように、携帯端末２００は、コンテンツを受信したか否かを判定する（ステップＳ２１１）。ステップＳ２１１において、携帯端末２００内の無線通信部２０８は、アンテナ２１０を介して無線信号を受信する。次に、無線通信部２０８は、受信信号の復調及び復号を行い、コンテンツを取得する。更に、無線通信部２０８は、コンテンツを制御部２０２へ出力する。制御部２０２は、コンテンツが入力されたか否かを判定する。
【００５２】
コンテンツが受信されていない場合（ステップＳ２１１；ＮＯ）、一連の動作が終了する。一方、コンテンツが受信された場合（ステップＳ２１１；ＹＥＳ）、携帯端末２００は、コンテンツに特殊情報が含まれているか否かを判定する（ステップＳ２１２）。本実施形態では、第１サーバ３００からのコンテンツが、第２サーバ７００の音声コンテンツを取得するために用いられるものである場合、コンテンツには第２サーバ７００のネットワーク上の位置を特定する情報であるところのＵＲＬ（Uniform Resource Locator）が含まれ、更に、そのＵＲＬの先頭部に「ＩＳＣ」等の所定の文字列が、ＵＲＬを無効化するための特殊情報として含まれている。制御部２０２は、コンテンツを解析し、当該コンテンツに特殊情報が含まれているか否かを判定する。
【００５３】
コンテンツに特殊情報が含まれていない場合（ステップＳ２１２；ＮＯ）、そのコンテンツは、第２サーバ７００の音声コンテンツを取得するために用いられるものではなく、画像等の表示用のコンテンツであると判断する。この場合、携帯端末２００は、受信したコンテンツを表示する（ステップＳ２１３）。ステップＳ２１３において、携帯端末２００内の制御部２０２は、コンテンツに対応する画像信号を表示部２０７へ出力する。表示部２０７は、制御部２０２から出力された画像信号に従って画像を表示する。
【００５４】
一方、コンテンツに特殊情報が含まれている場合（ステップＳ２１２；ＹＥＳ）、携帯端末２００は、複数の受光素子が配列された受光面２１５において、ステップＳ２０１で受光した、タグＩＤに対応する光の位置を示す受光位置と、光を受けた範囲を示す受光範囲とを取得する（ステップＳ２１４）。ステップＳ２１３において、制御部２０２内の受光位置・範囲取得部２３６は、図１０に示すように、受光面２１５を上下方向に３分割、左右方向に３分割することで９つの領域である受光位置１〜９に分割する。更に、受光位置・範囲取得部２３６は、受光位置１〜９のうち、ステップＳ２０２において色変化座標であると判定した位置、換言すれば、タグＩＤに対応する光を受光した位置が含まれる受光位置を判別する。更に、制御部２０２内の受光位置・範囲取得部２３６は、図１１に示すように、受光面２１５において、タグＩＤに対応する光を受光した範囲（受光範囲）９０１が占める面積比率を算出する。
【００５５】
次に、携帯端末２００は、受信したコンテンツから特殊情報を削除することにより、第２サーバ７００のＵＲＬを取得する。更に、携帯端末２００は、図１２に示すように、タグＩＤ、受光位置、受光範囲の面積比率からなる音声コンテンツ要求情報を生成する（ステップＳ２１５）。ステップＳ２１５において、制御部２０２内の音声コンテンツ取得部２３８は、第１サーバ３００からのコンテンツから、ＵＲＬの先頭部に付加されている特殊情報を削除し、残ったＵＲＬを抽出する。更に、音声コンテンツ取得部２３８は、第１サーバ３００からのコンテンツに付加されているタグＩＤと、当該タグＩＤに対応する光についてステップＳ２１４において取得した受光位置及び面積比率を対応付けて、図１２に示す音声コンテンツ要求情報を生成する。
【００５６】
次に、携帯端末２００は、取得したＵＲＬに対応する第２サーバ７００にアクセスし、音声コンテンツ要求情報を送信する（ステップＳ２１６）。ステップＳ２１６において、制御部２０２内の音声コンテンツ取得部２３８は、取得したＵＲＬに基づいて、無線通信部２０８を介して第２サーバ７００へアクセスする。更に、音声コンテンツ取得部２３８は、音声コンテンツ要求情報を無線通信部２０８へ出力するとともに、ＵＲＬから一意に特定される第２サーバ７００に対応するＩＰアドレス及びＭＡＣアドレス等を無線通信部２０８へ出力する。無線通信部２０８は、第２サーバ３００に対応するＩＰアドレス及びＭＡＣアドレス等を宛先とする音声コンテンツ取得情報の符号化及び変調を行い、アンテナ２１０を介して、無線信号を送信する。
【００５７】
第２サーバ７００は、音声コンテンツ要求情報を受信したか否かを判定する（ステップＳ２１７）。ステップＳ２１７において、第２サーバ７００内の有線通信部７０８は、第２サーバ７００に対応するＩＰアドレス及びＭＡＣアドレス等を宛先とする音声コンテンツ要求情報を受信し、制御部７０２へ出力する。制御部７０２は、音声コンテンツ要求情報が入力されたか否かを判定する。
【００５８】
音声コンテンツ要求情報が受信されていない場合（ステップＳ２１７；ＮＯ）、一連の動作が終了する。一方、音声コンテンツ要求情報が受信された場合（ステップＳ２１７；ＹＥＳ）、次に、第２サーバ７００は、受信した音声コンテンツ要求情報内のタグＩＤに対応する個別音声コンテンツと、受光位置及び面積比率に対応する基本音声コンテンツを取得、合成することにより、音声コンテンツを生成する（ステップＳ２１８）。
【００５９】
第２サーバ７００のメモリ７０２には、図１３に示すように、タグＩＤと個別音声コンテンツとが対応付けられた個別音声コンテンツ情報が記憶されている。本実施形態において、個別音声コンテンツは、対応付けられているタグＩＤに対応する光を発する照明装置１００の取り付け位置を通知するための音声情報である。本実施形態では、照明装置１００−１は、非常口８１０に取り付けられている。この場合、照明装置１００−１が発する光に対応するタグＩＤに対応付けられている個別音声コンテンツは、照明装置１００−１の取り付け位置に非常口８１０が存在することを通知する音声情報である。また、照明装置１００−２は、トイレドア８２０に取り付けられている。この場合、照明装置１００−２が発する光に対応するタグＩＤに対応付けられている個別音声コンテンツは、照明装置１００−２の取り付け位置にトイレドア８２０が存在することを通知する音声情報である。また、照明装置１００−３は、段差８３０に取り付けられている。この場合、照明装置１００−３が発する光に対応するタグＩＤに対応付けられている個別音声コンテンツは、照明装置１００−３の取り付け位置に段差８３０が存在することを通知する音声情報である。
【００６０】
また、第２サーバ７００のメモリ７０２には、図１４に示すように、受光位置と第１基本音声コンテンツとが対応付けられた第１基本音声コンテンツ情報が記憶されている。本実施形態において、第１基本音声コンテンツは、携帯端末２００から見た照明装置１００の取り付け位置の方向を示す音声情報である。携帯端末２００から見た照明装置１００の取り付け位置の方向は、受光面２１５の中心から見た、照明装置１００が発するタグＩＤに対応する光の受光位置の方向と一致する。このため、図１４に示すように、各受光位置１〜９には、受光面２１５の中心から見た、照明装置１００が発するタグＩＤに対応する光の受光位置の方向を示す第１基本音声コンテンツが対応付けられる。例えば、図１０において、受光位置１で照明装置１００が発するタグＩＤに対応する光が受光された場合には、携帯端末２００から見た照明装置１００の取り付け位置の方向は左上と推定される。このため、図１４に示すように、受光位置１と第１基本音声コンテンツ「左上に」とが対応付けられる。
【００６１】
また、第２サーバ７００のメモリ７０２には、図１５に示すように、受光面２１５全体に対する受光範囲９０１の面積比率と第２基本音声コンテンツとが対応付けられた第２基本音声コンテンツ情報が記憶されている。本実施形態において、第２基本音声コンテンツは、携帯端末２００から照明装置１００取り付け位置までの距離を示す音声情報である。例えば、図１１に示す受光面２１５において受光範囲９０１が大きいほど、すなわち、受光範囲９０１の受光面２１５全体に占める面積比率が大きいほど、その光を発する照明装置１００の取り付け位置は、携帯端末２００に近いと見なすことができる。このため、図１５に示すように、受光範囲が大きいほど、その受光範囲には距離が近いことを示す第２基本音声コンテンツが対応付けられる。例えば、図１５に示すように、受光面２１５に対する受光範囲の面積比率が３０％以上である場合には、その面積比率と第２基本音声コンテンツ「すぐ近く」とが対応付けられ、受光範囲の面積比率が５％未満である場合には、その面積比率と第２基本音声コンテンツ「遠方に」とが対応付けられる。
【００６２】
ステップＳ２１８において、制御部７０２内の提供情報判別部７１６は、音声コンテンツ要求情報に含まれるタグＩＤを抽出し、そのタグＩＤに対応付けられている個別音声コンテンツを取得する。また、提供情報判別部７１６は、音声コンテンツ要求情報に含まれる受光位置を抽出し、その受光位置に対応付けられている第１音声コンテンツを取得する。また、提供情報判別部７１６は、音声コンテンツ要求情報に含まれる受光範囲の面積比率を抽出し、その面積比率に対応付けられている第２音声コンテンツを取得する。更に、提供情報判別部７１６は、取得した個別音声コンテンツ、第１基本音声コンテンツ及び第２基本音声コンテンツを合成し、タグＩＤに対応する光を発する照明装置１００の取り付け位置に存在する物と、携帯端末２００から見たその物の方向及び距離とを通知するための音声コンテンツを生成する。例えば、音声コンテンツ要求情報に、段差８３０の位置に取り付けられた照明装置１００−３が発する光に対応するタグＩＤと、受光位置９と、面積比率５％未満とが含まれている場合、提供情報判別部７１６は、「右下の遠方に段差があります」との音声コンテンツを生成する。
【００６３】
再び、図８に戻って説明する。第２サーバ７００は、生成した音声コンテンツを携帯端末２００へ送信する（ステップＳ２１９）。ステップＳ２１９において、提供情報判別部７１６は、生成した音声コンテンツを有線通信部７０８へ出力するとともに、受信した音声コンテンツ要求情報の送信元の携帯端末２００に対応するＩＰアドレス及びＭＡＣアドレス等を有線通信部７０８へ出力する。ここで、携帯端末２００に対応するＩＰアドレス及びＭＡＣアドレス等は、音声コンテンツ要求情報の送信元として含まれる情報である。有線通信部７０８は、携帯端末２００に対応するＩＰアドレス及びＭＡＣアドレス等を宛先とする音声コンテンツを、通信ネットワーク５００へ出力する。
【００６４】
その後、携帯端末２００は、音声コンテンツを受信したか否かを判定する（ステップＳ２２０）。ステップＳ２２０において、携帯端末２００内の無線通信部２０８は、アンテナ２１０を介して無線信号を受信する。次に、無線通信部２０８は、受信信号の復調及び復号を行い、音声コンテンツを取得する。更に、無線通信部２０８は、音声コンテンツを制御部２０２へ出力する。制御部２０２は、音声コンテンツが入力されたか否かを判定する。
【００６５】
音声コンテンツが受信されていない場合（ステップＳ２２０；ＮＯ）、一連の動作が終了する。一方、音声コンテンツが受信された場合（ステップＳ２２０；ＹＥＳ）、携帯端末２００は、音声コンテンツを出力する（ステップＳ２２１）。ステップＳ２２１において、携帯端末２００の制御部２０２は、音声コンテンツに対応する音声信号を、スイッチ２２６を介して、スピーカー２２８又はヘッドホン２３０へ出力する。スピーカー２２８又はヘッドホン２３０は、入力された音声信号に従って音声を出力する。
【００６６】
このように、本実施形態の情報提供システム１では、携帯端末２００は、第１サーバ３００からのコンテンツに特殊情報が含まれる場合には、音声コンテンツを取得するために、照明装置１００から受光した光に対応するタグＩＤと、受光面２１５における受光位置及び受光面全体に対する受光範囲の面積比率とからなる音声コンテンツ要求情報を第２サーバ７００へ送信する。第２サーバ７００は、音声コンテンツ要求情報内のタグＩＤに対応する個別音声コンテンツと、受光位置に対応する第１基本音声コンテンツと、面積比率に対応する第２基本音声コンテンツとを合成し、タグＩＤに対応する光を発する照明装置１００の取り付け位置に存在する物と、携帯端末２００から見たその物の方向及び距離とを通知するための音声コンテンツを生成して、携帯端末２００へ送信する。更に、携帯端末２００は、受信した音声コンテンツに対応する音声出力を行う。
【００６７】
これにより、目視による照明装置１００の位置確認を行うことができないユーザ４００であっても、照明装置１００の位置に何があるかを認識できる。従って、有効な情報の提供を行うことが可能となる。
【００６８】
また、受光面２１５における受光位置及び面積比率に応じて提供される音声コンテンツが異なるため、ユーザ４００は、照明装置１００の位置までの方向及び距離を認識でき、より有効な情報の提供が可能となる。
【００６９】
また、第１サーバ３００からのコンテンツが、第２サーバ７００の音声コンテンツを取得するために用いられる場合には、第１サーバ３００からのコンテンツに、第２サーバ７００のＵＲＬと、そのＵＲＬを無効化するための特殊情報を含ませておくことにより、携帯端末２００は、第１サーバ３００からのコンテンツが、第２サーバ７００の音声コンテンツを取得するために用いられる物であるか否かを容易に判別でき、更に、第２サーバ７００にアクセスする場合には、特殊情報を削除するだけで容易に第２サーバのＵＲＬを取得することができる。
【００７０】
なお、本発明は、上記実施形態の説明及び図面によって限定されるものではなく、上記実施形態及び図面に適宜変更等を加えることは可能である。例えば、上記実施形態では、情報提供システム１は、第１サーバ３００と第２サーバ７００とを備えたが、これらのサーバの機能を有する単体のサーバを備えてもよい。
【００７１】
また、受光位置と第１基本音声コンテンツとの対応付け、及び、面積比率と第２基本音声コンテンツとの対応付けは、図１４及び図１５に示す物に限定されない。例えば、受光位置が８で、面積比率が３０％以上である場合には、第１基本音声コンテンツ「下に」及び第２基本音声コンテンツ「すぐ近くに」との組み合わせに代えて「足下に」という基本音声コンテンツが選択されるようにしてもよい。
【００７２】
また、図１において照明装置１００−１（非常口８１０）、１００−２（トイレドア８２０）からの光を受光した場合には先に受光した方に対応する音声コンテンツを先に出力するようにする他、受光位置がより両端や下（足下）にあるか、面積比率がより大きい方の照明装置に対応付けられた音声コンテンツを優先的に出力するようにしてもよい。なお、この場合の「優先的」とは、携帯端末２００に距離的に近い送信装置の音声コンテンツを時間的に先に出力するケースの他、携帯端末２００に距離的に近い送信装置の音声コンテンツの出力音量を意図的に大きくするケースも含まれる。
【００７３】
また、上記実施形態では、照明装置１００−１〜１００−３において送信部１１４における発光面の形状及び面積は共通であったが、異なっていてもよい。この場合には、例えば、特許第４２１０９５５号に記載された手法により照明装置１００までの距離が算出される。
【００７４】
また、例えば、コンピュータがプログラムを実行することで、照明装置１００、携帯端末２００、第１サーバ３００及び第２サーバ７００の機能を実現してもよい。また、照明装置１００、携帯端末２００、第１サーバ３００及び第２サーバ７００の機能を実現するためのプログラムは、ＣＤ−ＲＯＭ等の記憶媒体に記憶されてもよいし、ネットワークを介してコンピュータにダウンロードされてもよい。
【００７５】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００７６】
（付記１）
送信装置と、端末装置と、前記端末装置に対して提供情報を提供するサーバシステムとを含む情報提供システムであって、
前記送信装置は、
所定の識別情報を変調し、この変調された内容を、光を通信媒体として送信する第１の送信手段を備え、
前記端末装置は、
二次元で配列された複数の受光素子からなる受光面を有する受光手段と、
前記受光手段によって受光された光が前記第１の送信手段によって送信された光であるとき、この光を復調して前記識別情報を取得する識別情報取得手段と、
前記受光手段による受光状況を取得する受光状況取得手段と、
前記識別情報取得手段によって取得された識別情報と前記受光状況取得手段によって取得された受光状況とを前記サーバシステムへ送信する第２の送信手段と、
を備え、
前記サーバシステムは、
前記識別情報及び前記受光状況に対応付けられた提供情報を記憶する記憶手段と、
前記第２の送信手段からの前記識別情報及び前記受光状況を受信する第１の受信手段と、
前記第１の受信手段により受信された前記識別情報及び前記受光状況と前記記憶手段の記憶内容とに基づいて、送信すべき提供情報を判別する第１の判別手段と、
前記第１の判別手段により判別された前記提供情報を前記端末装置へ送信する第３の送信手段と、
を備えることを特徴とする情報提供システム。
【００７７】
（付記２）
前記記憶手段は、前記識別情報に対応する第１の提供情報と、前記受光状況に対応する第２の提供情報とを記憶し、
前記第１の判別手段は、前記第１の受信手段により受信された前記識別情報に対応する前記第１の提供情報と前記第１の受信手段により受信された前記受光状況に対応する前記第２の提供情報とを前記記憶手段から読み出し、前記第１の提供情報と前記第２の提供情報とを合成した提供情報を取得することを特徴とする付記１に記載の情報提供システム。
【００７８】
（付記３）
前記受光状況は、前記受光手段における前記受光面における光の受光位置を含むことを特徴とする付記１又は２に記載の情報提供システム。
【００７９】
（付記４）
前記受光状況は、前記受光手段における前記受光面における前記光の受光範囲の比率を含むことを特徴とする付記１乃至３の何れか１つに記載の情報提供システム。
【００８０】
（付記５）
前記端末装置は更に、
特定の情報が取得されたか否かを判別する第２の判別手段を備え、
前記第２の送信手段は、前記第２の判別手段によって前記特定の情報が取得されたと判別された場合に、前記識別情報取得手段によって取得された識別情報と前記受光状況取得手段によって取得された受光状況とを前記サーバシステムへ送信することを特徴とする付記１乃至４の何れか１つに記載の情報提供システム。
【００８１】
（付記６）
前記識別情報は、ネットワークにおける前記サーバシステムの所在を規定するための情報であり、
前記特定の情報は、前記所在を規定するための情報を無効化するための情報であり、
前記第２の送信手段は、前記無効化するための情報を削除して、前記所在を規定するための情報を有効化することを特徴とする付記５に記載の情報提供システム。
【００８２】
（付記７）
前記端末装置は更に、
前記提供情報を受信する第２の受信手段と、
前記第２の受信手段によって受信された前記提供情報に基づく出力を行う出力手段と、
を備えることを特徴とする付記１乃至６の何れか１つに記載の情報提供システム。
【００８３】
（付記８）
前記提供情報は、音声情報であり、
前記出力手段は、前記第２の受信手段によって受信された前記音声情報に基づいて音声出力を行うことを特徴とする付記７に記載の情報提供システム。
【００８４】
（付記９）
前記サーバシステムは、複数のサーバにより構成されることを特徴とする付記１乃至８の何れか１つに記載の情報提供システム。
【００８５】
（付記１０）
送信装置と、端末装置と、前記端末装置に対して提供情報を提供するサーバシステムとを含む情報提供システムにおける前記サーバシステムであって、
所定の識別情報と前記端末装置における前記識別情報を変調した光の受光状況とに対応付けられた提供情報を記憶する記憶手段と、
前記端末装置からの前記識別情報及び前記受光状況を受信する受信手段と、
前記受信手段により受信された前記識別情報及び前記受光状況と前記記憶手段の記憶内容とに基づいて、送信すべき提供情報を判別する判別手段と、
前記判別手段により判別された前記提供情報を前記端末装置へ送信する送信手段と、
を備えることを特徴とするサーバシステム。
【００８６】
（付記１１）
送信装置と、端末装置と、前記端末装置に対して提供情報を提供するサーバシステムとを含む情報提供システムにおける前記端末装置であって、
二次元で配列された複数の受光素子からなる受光面を有する受光手段と、
前記受光手段によって受光された前記送信装置からの光を復調して所定の識別情報を取得する識別情報取得手段と、
前記受光手段による受光状況を取得する受光状況取得手段と、
前記識別情報取得手段によって取得された識別情報と前記受光状況取得手段によって取得された受光状況とを前記サーバシステムへ送信する送信手段と、
を備えることを特徴とする端末装置。
【００８７】
（付記１２）
前記提供情報を受信する受信手段と、
前記受信手段によって受信された前記提供情報に基づく出力を行う出力手段と、
を備えることを特徴とする付記１１に記載の端末装置。
【００８８】
（付記１３）
送信装置と、端末装置と、前記端末装置に対して提供情報を提供するサーバシステムとを含む情報提供システムにおける前記サーバシステムの情報提供方法であって、
所定の識別情報と前記端末装置における前記識別情報を変調した光の受光状況とに対応付けられた提供情報を記憶手段に記憶する記憶ステップと、
前記端末装置からの前記識別情報及び前記受光状況を受信する受信ステップと、
前記受信ステップにおいて受信された前記識別情報及び前記受光状況と前記記憶手段の記憶内容とに基づいて、送信すべき提供情報を判別する判別ステップと、
前記判別ステップにおいて判別された前記提供情報を前記端末装置へ送信する送信ステップと、
を含むことを特徴とする情報提供方法。
【００８９】
（付記１４）
送信装置と、端末装置と、前記端末装置に対して提供情報を提供するサーバシステムとを含む情報提供システムにおける前記端末装置の情報提供方法であって、
受光手段により光を受光する受光ステップと、
前記受光ステップにおいて受光された前記送信装置からの光を復調して所定の識別情報を取得する識別情報取得ステップと、
前記受光ステップにおける受光状況を取得する受光状況取得ステップと、
前記識別情報取得ステップにおいて取得された識別情報と前記受光状況取得ステップにおいて取得された受光状況とを前記サーバシステムへ送信する送信ステップと、
を含むことを特徴とする情報提供方法。
【００９０】
（付記１５）
前記提供情報を受信する受信ステップと、
前記受信ステップにおいて受信された前記提供情報に基づく出力を行う出力ステップと、
を含むことを特徴とする付記１４に記載の情報提供方法。
【００９１】
（付記１６）
送信装置と、端末装置と、前記端末装置に対して提供情報を提供するサーバシステムとを含む情報提供システムにおける前記サーバシステムを、
所定の識別情報と前記端末装置における前記識別情報を変調した光の受光状況とに対応付けられた提供情報を記憶する記憶手段、
前記端末装置からの前記識別情報及び前記受光状況を受信する受信手段、
前記受信手段により受信された前記識別情報及び前記受光状況と前記記憶手段の記憶内容とに基づいて、送信すべき提供情報を判別する判別手段、
前記判別手段により判別された前記提供情報を前記端末装置へ送信する送信手段、
として機能させることを特徴とするプログラム。
【００９２】
（付記１７）
送信装置と、端末装置と、前記端末装置に対して提供情報を提供するサーバシステムとを含む情報提供システムにおける前記端末装置を、
二次元で配列された複数の受光素子からなる受光面を有する受光手段、
前記受光手段によって受光された前記送信装置からの光を復調して所定の識別情報を取得する識別情報取得手段、
前記受光手段による受光状況を取得する受光状況取得手段、
前記識別情報取得手段によって取得された識別情報と前記受光状況取得手段によって取得された受光状況とを前記サーバシステムへ送信する送信手段、
として機能させることを特徴とするプログラム。
【００９３】
（付記１８）
前記提供情報を受信する受信手段、
前記受信手段によって受信された前記提供情報に基づく出力を行う出力手段、
として機能させることを特徴とする付記１７に記載のプログラム。
【符号の説明】
【００９４】
１…情報提供システム、１００−１〜１００−３…照明装置、１０２、２０２、３０２、７０２…制御部、１０４、２０４、３０４、７０４…メモリ、１０７、３０８、７０８…有線通信部、１１０…符号化・変調部、１１２…駆動部、１１４…送信部、２００…携帯端末、２０６、３０６、７０６…操作部、２０７、３０７、７０７…表示部、２０８…無線通信部、２１０…アンテナ、２１２…レンズ、２１４…撮像部、２１５…受光面、２１６…画像処理部、２１８…バッファ、２２０…復号処理部、２２２…ＧＰＳ受信機、２２４…方位センサ、２２６…スイッチ、２２８…スピーカー、２３０…ヘッドホン、２３２…識別情報取得部、２３４…位置情報取得部、２３６…受光位置・範囲取得部、２３８…音声コンテンツ取得部、３００…第１サーバ、３１２…送信装置判別部、３１４…記憶処理部、３１６、７１６…提供情報判別部、４００…ユーザ、５００…通信ネットワーク、６００…無線基地局、７００…第２サーバ、８１０…非常口、８２０…トイレドア、８３０…段差、９０１…受光範囲
【図１】
2014138324.tif 000003
【図２】
2014138324.tif 000004
【図３】
2014138324.tif 000005
【図４】
2014138324.tif 000006
【図５】
2014138324.tif 000007
【図６】
2014138324.tif 000008
【図７】
2014138324.tif 000009
【図８】
2014138324.tif 000010
【図９】
2014138324.tif 000011
【図１０】
2014138324.tif 000012
【図１１】
2014138324.tif 000013
【図１２】
2014138324.tif 000014
【図１３】
2014138324.tif 000015
【図１４】
2014138324.tif 000016
【図１５】
2014138324.tif 000017